(57)【要約】【課題】既存の計量装置に適用可能であり、被計量物を回転させながら計量が可能であり、かつ計量変動の発生が抑制されるアイシング用秤皿を提供することを目的とする。また、被計量物を回転させながら計量が可能であり、計量変動の発生が抑制され、かつコンパクトに構成可能な計量装置を提供することを目的とする。【解決手段】本発明のアイシング用秤皿は、計量するためのロードセル３と、鉛直方向に延びて前記ロードセルに下端部が接続されたフレーム４と、前記フレームの上端部に水平方向に延びるように形成された基板５と、を備える計量装置において、基板５の上面に取り付けられるアイシング用秤皿６であって、被計量物が載置される回転天板１３と、回転天板１３の下面に接合されて、回転天板１３を複数の位置において支持し、かつ、回転自在に支持する回転支持部材１４と、を有する。【選択図】図１
2008039739.tif 000002
【特許請求の範囲】
【請求項１】
計量するためのロードセルと、鉛直方向に延びて前記ロードセルに下端部が接続されたフレームと、前記フレームの上端部に水平方向に延びるように形成された基板と、を備える計量装置において、前記基板の上面に取り付けられるアイシング用秤皿であって、
被計量物が載置される回転天板と、
前記回転天板の下面に接合されて、前記回転天板を複数の位置において支持し、かつ、回転自在に支持する回転支持部材と、を有する、アイシング用秤皿。
【請求項２】
前記回転支持部材が、前記回転天板の下面に取り付けられる上側部材と、前記基板の上面に取り付けられる下側部材と、前記上側部材と前記下側部材との間に挟まれている複数のローラ又は球体と、を有する、請求項１に記載のアイシング用秤皿。
【請求項３】
前記回転支持部材の外周側において、前記基板と前記回転天板との間を狭め、かつ空間形状を屈曲させるように構成する、シール部材を有する、請求項１に記載のアイシング用秤皿。
【請求項４】
前記回転天板の上面に着脱可能な天板を有し、該天板に被計量物が載置される、請求項１に記載のアイシング用秤皿。
【請求項５】
前記回転支持部材が、前記回転天板と前記基板との間に環状に配列されている複数のローラ又は球体と、前記ローラ又は球体を自転自在に保持する回転体支持枠と、を有する、請求項１に記載のアイシング用秤皿。
【請求項６】
下部において前記ロードセルに固定されたフレームと、
前記フレームの上端において水平方向に延びて配設された基板と、
前記基板の上面に前記回転支持部材の下面が接合された請求項１に記載のアイシング用秤皿と、を備えた、計量装置。
【請求項７】
前記フレームに支持され、かつ前記回転天板を回転駆動させる回転機構を有する、請求項６に記載の計量装置。
【請求項８】
前記ロードセルと前記フレームとを複数有し、
前記基板が前記フレームによって多点支持されている、請求項６に記載の計量装置。
【発明の詳細な説明】
【技術分野】
【０００１】
本発明は、計量装置におけるアイシング用秤皿及びそれを用いた計量装置に関する。
【背景技術】
【０００２】
一般的に、被計量物を載置する秤皿を有する計量装置は、秤皿を支持するフレームが計量機構に接続されている構造を有している。
【０００３】
特許文献１には、計量機構に着脱可能な秤皿の取付構造が開示されている。
【０００４】
また、特許文献２には、ケーキのデコレーション作業であるアイシング（icing）をしながら計量可能な計量装置が開示されている。
【特許文献１】特開２００６−４６９１２号公報
【特許文献２】米国特許5,547,507号公報
【発明の開示】
【発明が解決しようとする課題】
【０００５】
特許文献２の図１及び図２に示されるように、特許文献２の計量装置では、秤皿（a platen）はフランジ(a flange)によって鉛直方向に延びる軸（a shaft）に支持されている。軸は計量機のハウジングに差し込まれて軸回転可能に支持されている。したがって、秤皿は軸の上端において回転可能に構成されている。また、軸の下端は、片持ち梁（a cantilevered beam）あるいはバネ（a spring）で垂直方向に変位可能に支持されていて、その鉛直方向の変位を線形電位差計（a rectilinear potentiometer）によって検出するように構成されている。
【０００６】
しかし、このような構成であると、秤皿に載置される被計量物の重心位置によって、軸にモーメント力がかかると片持ち梁の変位がモーメント力の影響によって変化するので、回転に伴って計量変動が生じる。また、軸がベース（a base）及びベースに形成された凹部（a recess）のいずれかに接触すると片持ち梁及びバネにかかる荷重力が変化するので、回転に伴って計量変動が生じる。
【０００７】
また、このような構成であると、軸を長くすることによって、これらの回転に伴う計量変動が軽減される傾向があるが、計量装置自体の高さを大きくすることとなり、計量装置が大型化してしまうという問題もあった。
【０００８】
さらに、このような構成を既存の計量装置を利用して構成することは困難であった。
【０００９】
そこで、本発明は、上記のような課題を解決するためになされたもので、既存の計量装置に適用可能であり、被計量物を回転させながら計量が可能であり、かつ計量変動の発生が抑制されるアイシング用秤皿を提供することを目的とする。また、被計量物を回転させながら計量が可能であり、計量変動の発生が抑制され、かつコンパクトに構成可能な計量装置を提供することを目的とする。
【課題を解決するための手段】
【００１０】
上記目的を達成するために、第１の本発明のアイシング用秤皿は、計量するためのロードセルと、鉛直方向に延びて前記ロードセルに下端部が接続されたフレームと、前記フレームの上端部に水平方向に延びるように形成された基板と、を備える計量装置において、前記基板の上面に取り付けられるアイシング用秤皿であって、
被計量物が載置される回転天板と、
前記回転天板の下面に接合されて、前記回転天板を複数の位置において支持し、かつ、回転自在に支持する回転支持部材と、を有する。このような構成とすると、既存の計量装置に適用可能であり、被計量物を回転させながら計量が可能であり、かつ計量変動の発生を抑制することができる。
【００１１】
第２の本発明のアイシング用秤皿は、前記回転支持部材が、前記回転天板の下面に取り付けられる上側部材と、前記基板の上面に取り付けられる下側部材と、前記上側部材と前記下側部材との間に挟まれている複数のローラ又は球体と、を有するとよい。このように構成すると。回転天板及び基板への回転支持部材の取り付けを容易にすることができる。
【００１２】
第３の本発明のアイシング用秤皿は、前記回転支持部材の外周側において、前記基板と前記回転天板との間を狭め、かつ空間形状を屈曲させるように構成する、シール部材を有するとよい。このように構成すると、回転支持部材は、基板と回転天板とシール部材とによって包囲されるので、回転支持部材内への異物の侵入によるアイシング用秤皿の回転支障を防止することができる。
【００１３】
第４の本発明のアイシング用秤皿は、前記回転天板の上面に着脱可能な天板を有し、該天板に被計量物が載置されるとよい。このように構成すると、ケーキに好適な天板の形状を容易に選択することができる。
【００１４】
第５の本発明のアイシング用秤皿は、前記回転支持部材が、前記回転天板と前記基板との間に環状に配列されている複数のローラ又は球体と、前記ローラ又は球体を自転自在に保持する回転体支持枠と、を有するとよい。このように構成すると、回転支持部材の構造を簡素化することができる。
【００１５】
第６の本発明の計量装置は、下部において前記ロードセルに固定されたフレームと、
前記フレームの上端において水平方向に延びて配設された基板と、
前記基板の上面に前記回転支持部材の下面が接合された請求項１に記載のアイシング用秤皿と、を備えている。このように構成すると、計量装置は、被計量物を回転させながら計量が可能であり、計量変動の発生が抑制され、かつ計量装置をコンパクトに構成することができる。
【００１６】
第７の本発明の計量装置は、前記フレームに支持され、かつ前記回転天板を回転駆動させる回転機構を有するとよい。このように構成すると、アイシング作業の作業者による回転天板の回転動作を省略することができるので、アイシング作業の負担をより軽減することができる。
【００１７】
第８の本発明の計量装置は、前記ロードセルと前記フレームとを複数有し、前記基板が前記フレームによって多点支持されているとよい。このように構成すると、計量装置の高さを薄くすることができる。
【発明の効果】
【００１８】
本発明のアイシング用秤皿は、既存の計量装置に適用可能であり、被計量物を回転させながら計量が可能であり、かつ計量変動の発生が抑制されるという効果を奏する。また、本発明の計量装置は、被計量物を回転させながら計量が可能であり、計量変動の発生が抑制され、かつコンパクトに構成可能であるという効果を奏する。
【発明を実施するための最良の形態】
【００１９】
以下、本発明の実施の形態について、図面を参照しながら説明する。
【００２０】
（第１実施形態）
本発明の第１実施形態のアイシング用秤皿及びそれを用いた計量装置を説明する。
【００２１】
図１は、本発明の第１実施形態のアイシング用秤皿及びそれを用いた計量装置の模式図である。図２は、図１のII−II線矢視図である。図２では、説明の便宜上、基板5の一部を裁断してアイシング用秤皿６の構造を示す。
【００２２】
第１実施形態の計量装置１００は、筐体１の中に公知の計量機構が構成されている。すなわち、計量機構は、筐体１の中に据付部材２によって一端が装着されたロードセル３と、ロードセル３の他端に固定されて、鉛直上方に延びる柱状及びのフレーム４と、フレーム4の上端部において水平方向に延びるように形成された基板５と、を有して構成されている。これによって、基板５に上方からかかる荷重力は、フレーム４によってロードセル３の他端にかかり、ロードセル３に歪みを生じさせ、該歪みのよって荷重力を検出することができる。
【００２３】
ここで、ロードセル３は、フレーム４と据付部材２との間を平行する２本の腕で結ぶ形状であるので、ロバーバル機構を利用している。すなわち、ケーキＣの荷重中心が基板５のどこに位置しても正確な計量が可能である。
【００２４】
また、フレーム４は、円柱状あるいは多角柱状であればよく、その円柱あるいは多角柱の中心軸Ｚは、基板５の板面の中心を鉛直方向に貫通している。フレーム４は、筐体１の上壁との間を隙間を有するように貫通している。あるいは、フレーム４にかかる荷重力を伝達しないような、軽く柔軟な部材によるカバーが当該隙間に設けられていてもよい。
【００２５】
さらに、筐体１は矩形であって、フレーム４に支持されている基板５は、筐体1の上面を覆う四角形の平面を有している。基板５は、フレーム４が下面に取り付けられている本体５Ｂと、本体５の上面を覆うカバー５Ａとに分割されて構成されている。カバー５Ａの上面には、回転支持部材１４が取り付けられている。カバー５Ａは、カバー５Ａの側縁が本体５Ｂの側縁に係合して、本体５Ｂに取り付けられている。カバー５Ａはステンレス、合成樹脂等から構成されている。
【００２６】
なお、基板５は、カバー５Ａが省略されて、本体５Ｂのみで構成されていてもよい。
【００２７】
基板５の上面に本発明の特徴であるアイシング用秤皿６が取り付けられている。アイシング用秤皿６は、ケーキＣが載置されるための天板１１と、天板１１がその上面に配設される円形の回転天板１３と、回転天板１３の下面に接合されて、回転天板１３を複数の位置において支持し、かつ、所定の中心軸（回転中心）Ｚの周りに回転自在に支持する回転支持部材１４と、を有して構成されている。なお、円形のケーキＣの場合には、天板１１を用いずに回転天板１３に直接ケーキＣを載置することもできる。
【００２８】
回転支持部材１４には、回転天板１３を複数の位置において支持する、環状のスラスト軸受けが用いられている。例えば、いわゆるLazy Susan タイプのベアリングが好適である。図に示すようにスラスト軸受けは、一般的に相互に回転自在に接合されている上側部材１４Ｂと下側部材１４Ａとを有して構成されている。
【００２９】
回転支持部材１４と回転天板１３及び基板５との接合にはスポット溶接、螺旋止め、接着剤のような公知の取付手段が用いられる。ここでは、複数の位置でのスポット溶接部１８によって回転支持部材１４の上面側の上側部材１４Ｂが回転天板１３に接合されている。また、複数のネジ１７によって、回転支持部材１４の下面側の下側部材１４Ａが基板５に取り付けられている。これによって、回転支持部材１４が基板５に平行して回転天板１３を基板５上に水平に支持すると共に、中心軸Ｚを回転中心として回転天板１３を回転自在に支持している。
【００３０】
天板１１は、回転天板１３の上面に着脱可能に取り付けられている。ここでは、天板１１の下面に構成された取付機構１２によって回転天板１３の上面に着脱される。取付機構１２は、回転天板１３の外周側面に係合するように天板１１の下面に構成された一対の係合具１２Ｂと、回転天板１３を一対の係合具１２Ｂと共に挟み込むようにして天板１１の下面に配設されたクランプ用ネジ１２Ａと、によって構成されている。クランプ用ネジ１２Ａは天板１１の下面に形成されたネジ孔に螺入されている。すなわち、一対の係合具１２Ｂが回転天板１３の外周に係合するようにして天板１１を回転天板１３の上面に載せた後、クランプ用ネジ１２Ａを締め付けることによって、天板１１が回転天板１３の上面に装着される。
【００３１】
また、天板１１は円形以外の多角形のケーキが載置される場合、あるいは回転天板１３よりも大きな直径の円形のケーキが載置される場合、に用いられる。したがって、天板１１の平面形状は、ここでは長方形であるが、ケーキＣの形状に応じて、円形、多角形等適宜好適な平面形状が用いられる。このような天板１１の着脱構造によって、ケーキＣに好適な天板１１の形状を容易に選択することができる。
【００３２】
このような構成により、本発明の秤皿６は、既存の計量装置の基板上に接合可能であるので、既存の計量装置に適用可能である。また、天板１１上のケーキＣは、中心軸Ｚを回転中心として回転可能に載置される。さらに、フレーム４は、ロードセル３に固定して支持されているので、計量装置１００の他の構成部材との接触による荷重力の変化もなく、かつ、フレーム４に生ずるモーメント力による計量誤差への影響も生じない。したがって、本発明のアイシング用秤皿６は、被計量物を回転させながら正確な計量が可能であり、かつ計量変動の発生を抑制することができる。
【００３３】
また、本発明の計量装置１００は、フレーム４の鉛直方向の長さを確保する必要がないので、筐体１をコンパクトに構成することができる。したがって、本発明の計量装置１００は、被計量物を回転させながら計量が可能であり、計量変動の発生が抑制され、かつコンパクトに構成することが可能である。
【００３４】
さらに、本発明の回転支持部材１４は、上側部材１４Ｂ及び下側部材１４Ａをそれぞれ公知の取り付け方法によって円形の回転天板１３及び基板５に取り付けることができるので、回転天板１３及び基板５への回転支持部材１４の取り付けを容易にすることができる。
【００３５】
（第２実施形態）
図３は、本発明の第２実施形態のアイシング用秤皿及びそれを用いた計量装置の模式図である。
【００３６】
図に示すように、本発明の第２実施形態は、基板５、フレーム４及び回転支持部材１４の構造において第１実施形態と相違しており、他の構成要素は第１実施形態と同じ構成である。そこで、図４において図１に示した構成要素と同一の構成要素には各々同一の符号を付してその説明を省略し、相違点であるフレーム４と回転支持部材１４とを説明する。
【００３７】
フレーム４は、下部が円柱若しくは多角柱の軸体に形成されているが、フレーム４の上部は複数の梁４Ａに分かれた形状に形成されている。複数の梁４Ａは、斜め上方に向けて放射状に拡がるように形成されている。筐体１の上面には複数の孔部が複数形成されていて、梁４Ａはそれぞれの孔部を貫通して、各梁４Ａの上端が基板５の本体５Ｂの下面に螺旋止めされている。
【００３８】
回転支持部材１４は、上下方向に重ね合わされた下部円板（上側部材）１４Ａと上部円板（下側部材）１４Ｂとを有している。下部円板１４Ａの中央部は上方に屈曲されて円錐台状の凸部１４Ｊに形成されている。この凸部１４Ｊの中心部に貫通孔が形成されている。上部円板１４Ｂの中央部は下方に屈曲されて逆円錐台状の凹部１４Ｋに形成されている。この凹部１４Ｋの中心部に貫通孔が形成されている。この凸部１４Ｊの貫通孔とこの凹部１４Ｋの貫通孔とにピン１４Ｄが挿通されている。ピン１４Ｄの両端（上端及び下端）には頭部が形成されていて、凸部１４Ｊと凹部１４Ｋとが回転自在になるようにしてピン１４Ｄの両頭部の間に挟まれている。これにより、下部円板１４Ａと上部円板１４Ｂとは、ピン１４Ｄの周りに互いに摺動しながら回転可能に連結されている。
【００３９】
下部円板１４Ａは、その下面が基板５の上面に接合され、かつピン１４Ｄの中心軸がフレーム４の中心軸Ｚに一致するようにして、締結ネジ１７によって基板５の上面に固定されている。上部円板１４Ｂは、その上面が回転天板１３の下面に接合されかつピン１４Ｄの中心軸が回転天板１３の中心軸に一致するようにして、回転天板１３の下面に固定されている。上部円板１４Ｂは、その周縁部においてスポット溶接部１８によって回転天板１３の下面に固定されている。
【００４０】
また、上部円板１４Ｂの下面の周縁部には下方に突出するように環状のボール収容部１４Ｌが形成されている。ボール収容部１４Ｌは、下方に開口している環状の溝に複数のボール１４Ｃが連なるように収容されて構成されている。ボール１４Ｃは、ボール収容部１４Ｌ内面と下部円板１４Ａの上面とに接触し、上部円板１４Ｂのピン１４Ｄ周りの回転時には、ボール１４Ｃはボール収容部１１３内で回転する。これによって、上部円板１４Ｂ回転時においても、上部円板１４Ｂに加わる荷重をピン１４Ｄとボール１４Ｃとに分散させて下部円板１４Ａに伝達することができる。
【００４１】
したがって、回転支持部材１４は、回転天板１３からの荷重をピン１４Ｄ及びボール収容部１４Ｌを経由して基板５に伝達しながら、回転天板１３をフレーム４の中心軸Ｚの周りに回転自在に基板５上に支持する。
【００４２】
本実施形態の構成によって、第１実施形態と同様の効果をうることができる。
【００４３】
（第３実施形態）
図４は、本発明の第３実施形態のアイシング用秤皿及びそれを用いた計量装置の模式図である。
【００４４】
図に示すように、本発明の第３実施形態は、回転支持部材１４の構造とシール部材２０の追加において第１実施形態と相違しており、他の構成要素は第１実施形態と同じ構成である。そこで、図４において図１に示した構成要素と同一の構成要素には各々同一の符号を付してその説明を省略し、回転支持部材１４の相違箇所とシール部材２０とを説明する。
【００４５】
回転支持部材１４は、図３と同様の上部円板１４Ｂと下部円板１４Ａとを有し、中心軸Ｚにおいてピン１４Ｄによって回転自在に接合されている。ここで、ピン１４は、鉛直方向下方に延びて、基板５に接合されている。すなわち、ピン１４によって、回転支持部材１４は基板５に接合されているので、ネジ１７は省略されている。
【００４６】
また、下部円板１４Ａの周縁部には均等な間隔で、下部円板１４Ａと上部円板１４Ｂとを円周方向に回転させるようにローラ１４Ｅが数カ所に配設されている。ローラ１４Ｅは、下部円板の周縁部に突設されたピン受け部１４Ｇに半径方向かつ水平方向に支持されたピン１４Ｆによって車輪のように配設されている。これによって、ローラ１４Ｅが下部円板１４Ａ及び上部円板１４Ｂに接触して、上部円板１４Ｂの回転を支持することができる。
【００４７】
シール部材２０は回転支持部材１４の外周側において、基板５と回転天板１３との間を狭め、かつ空間形状を屈曲させるように構成されている。すなわち、シール部材２０は、基板５の上面に突設された環状の上部材２０Ａと、回転天板１３の下面周縁部に突設された環状の下部材２０Ｂとを接近させて構成されている。また、上部材２０Ａの堤部２０Ｃは下部材２０Ｂの溝部２０Ｄ内に位置し、下部材２０Ｂの堤部２０Ｅは上部材２０Ａの溝部２０Ｆ内に位置している。これによって、回転支持部材１４は、基板５と回転天板１３とシール部材２０とによって包囲されているので、外部の粉体及び流体は回転支持部材１４に接近が難しくなる。すなわち、回転支持部材１４内への異物の侵入によるアイシング用秤皿６の回転支障を防止することができる。
【００４８】
なお、図５は、シール部材２０の第１変形例である。
【００４９】
シール部材２０は、断面視において鋸刃状の環状の上部材２０Ａと、同じく断面視において鋸刃状の環状の下部材２０Ｂとが間に狭隘な空間を有するように接近して配設されて構成されている。
【００５０】
なお、図６は、シール部材２０の第２変形例である。
【００５１】
シール部材２０は、下方に延伸する延伸端が環状に形成されている上部材２０Ａと、上部材２０Ａの延伸端を収容する凹部が環状に形成されている下部材２０Ｂとによって構成されている。
【００５２】
上部材２０Ａは可撓性を有する樹脂材料によって構成されている。
【００５３】
（第４実施形態）
図７は、本発明の第４実施形態のアイシング用秤皿及びそれを用いた計量装置の模式図である。
【００５４】
図に示すように、本発明の第４実施形態は、回転天板１３を自動的に回転させる回転機構３０の配設において第１実施形態と相違しており、他の構成要素は第１実施形態と同じ構成である。そこで、図４において図１に示した構成要素と同一の構成要素には各々同一の符号を付してその説明を省略し、相違点である回転機構３０を説明する。
【００５５】
回転機構３０は、回転天板１３の下面に回転支持部材１４の外周側を囲んで配設された、外周側に歯を有する環状ギア３１と、環状ギア３１に噛み合うようにして配設された駆動ギア３２と、下方に向かって筐体１内にまで延びる駆動軸３３と、駆動軸を軸回転させる電動機３４と電動機３４をフレーム４に支持する梁３５とを有して構成されている。図示しないが、電動機３４には被計量物であるケーキＣの重量に比べて無視できるほど軽量のリード線が引っ張り応力が発生しないように緩やかに接合されている。また、電動機３４は回転速度を適宜調整できるモータを用いるとよい。
【００５６】
これによって、回転天板１３は回転機構３０によって自動的に回転駆動されるので、アイシング作業の作業者による回転天板の回転動作を省略することができる。すなわち、アイシング作業の負担をより軽減することができる。
【００５７】
なお、駆動軸３１の構造はピニオン、ギア及びタイミングベルトを介在させて構成することもできる。
（第５実施形態）
図８は、本発明の第５実施形態のアイシング用秤皿及びそれを用いた計量装置の模式図である。
【００５８】
図に示すように、本発明の第５実施形態は、筐体１、筐体１の内部の計量機構、基板５の平面形状及び回転支持部材１４の構造において第２実施形態と相違しており、他の構成要素は第２実施形態と同じ構成である。そこで、図８において図３に示した構成要素と同一の構成要素には各々同一の符号を付してその説明を省略し、相違点である、筐体１、筐体１の内部の計量機構、フレーム４及び回転支持部材１４を説明する。
【００５９】
本実施形態の計量装置１４０の筐体１は、上蓋部と側壁部とからなっている。つまり、筐体１は、ロードセル３を上方及び側方から覆う蓋部を構成している。
【００６０】
また、筐体１の上蓋部及び基板５（カバー５Ａ及び本体５Ｂを総称して基板５という）はそれぞれほぼ同形の四角形であって、筐体１の上蓋部の上面に基板５が重ねられている。
【００６１】
筐体１の内部の計量機構を説明する。四角形の筐体１の上蓋部の下面の４隅それぞれにおいてフレーム４が下方に延びるように装着されている。ここでは、筐体１の上蓋部と基板５とを貫いてフレーム４のネジ孔にネジが装着されている。また、筐体１はフレーム４を介在させてロードセル３にのみ支持されている。さらに、ロードセル４を支持する据付部材２が計量装置１４０の脚部を構成している。
【００６２】
すなわち、本実施形態の筐体１の内部の計量機構は４対のロードセル３、フレーム４及び据付部材２を備えている。そして、それぞれのフレーム４がそれぞれのロードセル３によって支持され、それぞれのロードセル３はそれぞれの据付部材２によって支持されている。そして、４つの据付部材２が計量装置１４０の脚部となっている。
【００６３】
これによって、筐体１及びロードセル３を小さく構成することができるので、計量装置１４０の厚さを薄くすることができる。このような筐体１及び計量機構としては、Yamato Corporation製ＰＢ−２００、ＤＳＲ−４００が好適である。
【００６４】
回転支持部材１４は、環状に配列された複数のボール１４Ｃと、ボール１４Ｃを自転自在に支持する回転体支持枠１４Ｍとを有している。ボール１４Ｃ及び回転体支持枠１４Ｍは樹脂材料で構成されている。
【００６５】
回転体支持枠１４Ｍは、中心部のハブ１４Ｎ、周縁部のリム１４Ｐ、及びハブとリムとを結ぶスポーク１４Ｑを有する、薄肉の車輪状の部材である。
【００６６】
中心部のハブ１４Ｎには、車軸方向に貫通するピン孔が形成されている。
【００６７】
周縁部のリム１４Ｐには、ボール１４Ｃの側方を包囲して、ボール１４Ｃを自転自在に保持する保持枠１４Ｒが環状に並んで形成されている。ここでは、保持枠１４Ｒは、ボール１４Ｃの径よりもやや大きい孔部によって構成されていて、保持枠１４Ｒにボール１４Ｃが緩やかに嵌められている。
【００６８】
回転体支持枠１４Ｍは、円形の回転天板１３の回転中心を貫通する中心軸Ｚにハブ１４Ｎのピン孔が重なるようにして配設されている。また、ピン１４Ｄが、回転天板１３の回転中心を鉛直下方に延びて、回転体支持枠１４Ｍのハブ１４Ｎのピン孔を通って、基板５に接合されている。これによって、回転体支持枠１４Ｍは回転天板１３と共にピン１４Ｄの周りに回転自在に接合される。また、ボール１４Ｃが基板５のカバー５Ａ及び回転天板１３に接触して、回転天板１３の回転移動を支持することができる。さらに、回転支持部材１４の構成要素数を少なくすることができるので、回転支持部材１４の構造を簡素化することができる。
【００６９】
なお、回転体支持枠１４Ｍは、ピン１４Ｄの周りに固定されていてもよい。ボール１４Ｃの自転によって回転天板１３をピン１４Ｄの周りに回転させることができる。
【００７０】
また、ボール１４Ｃの代わりに、第３実施形態のローラ１４Ｅを用いることもできる。つまり、保持枠１４Ｒに、回転天板１４Ｃを円周方向に回転させるようにローラ１４Ｅが配設されている。図４に示すピン１４Ｆが、保持枠１４Ｒの枠縁部に回転体支持枠１４Ｍの半径方向に延びて橋渡しされると、ローラ１４Ｅは、回転天板１３及び基板５に接触して、回転天板１３の回転を支持することができる。
【００７１】
さらに、ボール１４Ｃ及びローラ１４Ｅは球径及びローラ径を大きくするとよい。これによって回転天板１３が上下に波うつ現象を抑制することができる。
【００７２】
上記実施形態は、本発明を実行する最良の態様を当業者に教示する目的で提供されたものであり、上記説明から、当業者にとっては、本発明の多くの改良や他の実施形態が明らかである。従って、上記説明は、例示としてのみ解釈されるべきであり、本発明の範囲を逸脱することなく、その構造及び／又は機能の詳細を変更できる。
【００７３】
例えば、天板１１を省略することもできる。すなわち、回転天板１３にケーキＣを載置して回転させながら、計量をすることも可能である。
【産業上の利用可能性】
【００７４】
本発明のアイシング用秤皿は、既存の計量装置に適用可能であり、被計量物を回転させながら計量が可能であり、かつ計量変動の発生が抑制されるアイシング用秤皿として有用である。また、本発明の計量装置は、被計量物を回転させながら計量が可能であり、計量変動の発生が抑制され、かつコンパクトに構成可能である計量装置として有用である。
【図面の簡単な説明】
【００７５】
【図１】本発明の第１実施形態のアイシング用秤皿及びそれを用いた計量装置の模式図である。
【図２】図１のII−II線矢視図である。
【図３】本発明の第２実施形態のアイシング用秤皿及びそれを用いた計量装置の模式図である。
【図４】本発明の第３実施形態のアイシング用秤皿及びそれを用いた計量装置の模式図である。
【図５】シール部材の第１変形例である。
【図６】シール部材の第２変形例である。
【図７】本発明の第４実施形態のアイシング用秤皿及びそれを用いた計量装置の模式図である。
【図８】本発明の第５実施形態のアイシング用秤皿及びそれを用いた計量装置の模式図である。
【符号の説明】
【００７６】
１  筐体
２  据付部材
３  ロードセル
４  フレーム
４Ａ  梁
５  基板
５Ａ  カバー
５Ｂ  本体
６  アイシング用秤皿
１１  天板
１２  取付機構
１２Ａ  クランプ用ネジ
１２Ｂ  係合具
１３  回転天板
１４  回転支持部材
１４Ａ  下部円板
１４Ｂ  上部円板
１４Ｃ  ボール
１４Ｄ  ピン
１４Ｅ  ローラ
１４Ｆ  ピン
１４Ｇ  ピン受け部
１４Ｊ  凸部
１４Ｋ  凹部
１４Ｌ  ボール収容部
１４Ｍ  回転体支持枠
１４Ｎ  ハブ
１４Ｐ  リム
１４Ｑ  スポーク
１７  ネジ
１８  スポット溶接部
２０  シール部材
２０Ａ、２０Ｂ  溝部材
２０Ｃ、２０Ｅ  堤部
２０Ｄ、２０Ｆ  溝部
３０  回転機構
３１  環状ギア
３２  駆動ギア
３３  駆動軸
３４  電動機
３５  梁
Ｃ  ケーキ
Ｚ  中心軸
１００、１１０、１２０，１３０、１４０  計量装置
【図１】
2008039739.tif 000003
【図２】
2008039739.tif 000004
【図３】
2008039739.tif 000005
【図４】
2008039739.tif 000006
【図５】
2008039739.tif 000007
【図６】
2008039739.tif 000008
【図７】
2008039739.tif 000009
【図８】
2008039739.tif 000010